(57)【特許請求の範囲】
【請求項１】
互いに隣り合って配置される第一パネル体および第二パネル体を備え、
前記第一パネル体は、第一パネルと、第一縦枠とを備え、
前記第一縦枠は、前記第一パネルを保持する第一縦枠本体および前記第一縦枠本体を保持する第一保持枠体を有する縦枠部と、断面円弧状に形成された方立部とを有し、
前記第一保持枠体は、その見込み方向で対向すると共に前記方立部に一体に連続した一対の側面部と、前記一対の側面部を連結した連結片とを有し、
前記第二パネル体は、第二パネルと、第二縦枠とを備え、
前記第二縦枠は、前記第二パネルを保持する第二縦枠本体および前記第二縦枠本体を保持する第二保持枠体を有し、
前記第二保持枠体は、その見込み方向で対向する一対の側面部と、前記一対の側面部を連結した連結片とを有し、
前記第二保持枠体の一対の側面部間には気密材が設けられ、
前記第二保持枠体の連結片には、前記方立部の周面に当接可能な突起が設けられ、
前記第一縦枠本体および前記第二縦枠本体は、見込み片と、前記見込み片の見込み方向における中間部に形成された凹溝形成部とを有し、
前記第一縦枠本体の見込み片は前記第一保持枠体の一対の側面部に係合し、前記第一縦枠本体における前記凹溝形成部の底片は前記第一保持枠体の連結片に当接し、
前記第二縦枠本体の見込み片は前記第二保持枠体の一対の側面部に係合し、前記第二縦枠本体における前記凹溝形成部の底片は前記第二保持枠体の連結片に当接し、
前記第二縦枠本体における前記凹溝形成部の底片、前記第二保持枠体の連結片および前記方立部に固定ビスがねじ込まれることによって前記第二縦枠が前記方立部に固定され、
前記固定ビスがねじ込まれた状態では、前記第二保持枠体の連結片の突起と前記第二保持枠体の一対の側面部および前記気密材とは、前記方立部の周面に当接する
ことを特徴とする建具。
【請求項２】
請求項１に記載の建具において、
前記第一縦枠の縦枠部および前記第二縦枠の見込み寸法は互いに同じ寸法とされ、
前記方立部の径寸法は、前記縦枠部および前記第二縦枠の見込み寸法以下とされる
ことを特徴とする建具。
【請求項３】
請求項１または請求項２に記載の建具において、
前記第一保持枠体および前記第二保持枠体の一対の側面部には係合部がそれぞれ形成され、
前記第一縦枠本体および前記第二縦枠本体の見込み片の両端部には、前記第一保持枠体および前記第二保持枠体のいずれの前記一対の係合部にも係合可能な係合爪がそれぞれ形成される
ことを特徴とする建具。
【請求項４】
請求項１から請求項３のいずれか一項に記載の建具において、
前記第一保持枠体および前記第二保持枠体の一対の側面部は、縦片と、前記縦片に連続する斜片とをそれぞれ有して構成され、
前記第一保持枠体の一対の斜片は、前記方立部の端部に連続して形成され、
前記第二保持枠体の一対の斜片は、前記方立部の周面に当接可能に形成され、
前記第一保持枠体および前記第二保持枠体のそれぞれの一対の斜片のうちの少なくとも一方は、前記第一パネル体に対する前記第二パネル体の連結角度が最小出隅角度または最小入隅角度となった状態で、互いに面接触可能に構成される
ことを特徴とする建具。
【発明の詳細な説明】
【技術分野】
【０００１】
本発明は、屋内外を仕切るサッシや屋内空間の間仕切りとして使用されるものであって、互いに隣り合うパネル体同士の連結角度を自在に調整して施工可能な連窓などの建具に関する。
【背景技術】
【０００２】
建具として、例えば、二つの窓の縦枠と、この二つの縦枠を連結する方立とによって構成される連結装置を備えたものが知られている（特許文献１参照）。方立は、断面円弧状であって両端縁部を有する周壁と、この周壁の内壁面間を連続する仕切壁とを一体に有して構成され、周壁の両端縁部間には開口部が形成されている。方立の開口部には、一方の縦枠が差し込まれて嵌合し、仕切壁には、当該一方の縦枠がねじによって固定されている。
また、方立の周壁には、他方の縦枠が連結具を介して連結されている。連結具は、縦枠の見込み幅と同幅を有するウエブと、ウエブの幅方向両端部から鋭角をもって延びてそれぞれ形成された接触片と、他方の縦枠に嵌合する突片とを一体に有して構成されている。
連結具の突片には、他方の縦枠が嵌合している。連結具は、接触片が方立の周壁に接触した状態で、ねじによって当該周壁に固定されている。
この連結装置では、連結具の方立への固定の際に、連結具の方立の周壁に対する周方向位置を調整することで、両縦枠同士の連結角度を自在に調整可能である。
【先行技術文献】
【特許文献】
【０００３】
【特許文献１】特公昭５３−２５１９１号公報
【発明の概要】
【発明が解決しようとする課題】
【０００４】
しかし、特許文献１に記載の建具では、一方の縦枠と、方立と、他方の縦枠とが別部材であるため、これらを連結する施工においては、先ず方立を設置し、次に一方の縦枠を方立の開口部に差し込んで固定し、さらに他方の縦枠を、連結具を介して方立の周壁に固定するといった３工程が必要となる。このように、一方の縦枠と、方立と、他方の縦枠とが別部材である以上、前述した工程を削減して施工の簡略化を図ることが困難である。
【０００５】
また、本発明の技術分野に属する建具を、スーパーマーケットやホームセンター等の店舗において屋内外を仕切るショップフロントやストアフロントなどのサッシとして使用する場合や、屋内空間の間仕切りとして使用する場合、第三者に目視される建具の内観、外観形状をどのように構成するかは設計上の主題の一つである。
【０００６】
特許文献１に記載の建具では、一方の縦枠は、方立の開口部に差し込まれて嵌合するので、方立の周壁に覆われて露呈せずに位置することとなる。これに対し、他方の縦枠は、方立の周壁に固定された連結具に嵌合するので、連結具とともに露呈して位置することとなる。このため、両縦枠同士の連結部分の左右形状は異なったものとなってしまうので、建具の内観、外観形状の設計幅を拡げることが困難である。
【０００７】
本発明の目的は、施工を簡略化でき、内観、外観形状の設計幅を拡げることができる建具を提供することにある。
【課題を解決するための手段】
【０００８】
本発明の建具は、互いに隣り合って配置される第一パネル体および第二パネル体を備え、前記第一パネル体は、第一パネルと、第一縦枠とを備え、前記第一縦枠は、前記第一パネルを保持する第一縦枠本体および前記第一縦枠本体を保持する第一保持枠体を有する縦枠部と、断面円弧状に形成された方立部とを有し、前記第一保持枠体は、その見込み方向で対向すると共に前記方立部に一体に連続した一対の側面部と、前記一対の側面部を連結した連結片とを有し、前記第二パネル体は、第二パネルと、第二縦枠とを備え、
前記第二縦枠は、前記第二パネルを保持する第二縦枠本体および前記第二縦枠本体を保持する第二保持枠体を有し、前記第二保持枠体は、その見込み方向で対向する一対の側面部と、前記一対の側面部を連結した連結片とを有し、前記第二保持枠体の一対の側面部間には気密材が設けられ、前記第二保持枠体の連結片には、前記方立部の周面に当接可能な突起が設けられ、前記第一縦枠本体および前記第二縦枠本体は、見込み片と、前記見込み片の見込み方向における中間部に形成された凹溝形成部とを有し、前記第一縦枠本体の見込み片は前記第一保持枠体の一対の側面部に係合し、前記第一縦枠本体における前記凹溝形成部の底片は前記第一保持枠体の連結片に当接し、前記第二縦枠本体の見込み片は前記第二保持枠体の一対の側面部に係合し、前記第二縦枠本体における前記凹溝形成部の底片は前記第二保持枠体の連結片に当接し、前記第二縦枠本体における前記凹溝形成部の底片、前記第二保持枠体の連結片および前記方立部に固定ビスがねじ込まれることによって前記第二縦枠が前記方立部に固定され、前記固定ビスがねじ込まれた状態では、前記第二保持枠体の連結片の突起と前記第二保持枠体の一対の側面部および前記気密材とは、前記方立部の周面に当接することを特徴とする。
【０００９】
本発明の建具によれば、第一保持枠体の一対の側面部が、方立部に一体に連続しているため、縦枠部と方立部とが一体に形成された一つの部材を構成できる。これにより、縦枠部および方立部を備える第一縦枠と第二縦枠とを連結する施工を簡単に行うことができる。すなわち、先ず縦枠部および方立部を備える第一縦枠を設置し、次に第二縦枠の連結片を方立部の周面に固定する２工程によって簡単に施工できる。この本発明の建具は、３工程が必要とされる特許文献１に記載の建具と比べ、施工性の向上を図れる。
また、縦枠部および方立部を備える第一縦枠と第二縦枠との互いの形状は異なるが、第一保持枠体の一対の側面部が方立部の両端部に一体に連続するとともに、第二保持枠体の一対の側面部が方立部の周面に沿って配置されるため、方立部の形状や寸法に制限されることなく、第一保持枠体および第二保持枠体の側面部同士の外形の設計幅を拡げることができる。例えば、第一保持枠体および第二保持枠体の左右の側面部同士の外形を、同形状、同寸法としたり、また、方立部の円弧中心を通る対称軸を基準に線対称な形状としたりすることで、シンプルな印象の内観、外観を構成できる。
さらに、第一保持枠体の一対の側面部が、方立部の両端部に一体に連続しているため、部品点数を削減できる。さらに、部材同士を連結する補強材などを増設せずに強度の向上を図れ、見込み寸法を維持したまま大開口とした大型の建具を構成できる。
加えて、第二縦枠に設けられた気密材を方立部の周面に当接することで、方立部および第二縦枠間の水密性能を向上できる。また、第一縦枠の縦枠部と方立部とは一体に連続して形成されているため、これらの間に気密材などを設ける必要はなく、気密材の使用量を削減できる。さらに、気密材は、一対の側面部間に設けられるため、内観、外観上、気密材が露呈することがない。
なお、本発明の建具では、第二縦枠は、方立部の周面に沿って位置決め可能であるので、第一パネル体に対する第二パネル体の連結角度を自在に調整して施工可能である。
【００１０】
本発明の建具では、前記第一縦枠の縦枠部および前記第二縦枠の見込み寸法は互いに同じ寸法とされ、前記方立部の径寸法は、前記縦枠部および前記第二縦枠の見込み寸法以下とされることが好ましい。
このような構成によれば、方立部の径寸法が縦枠部および第二縦枠の見込み寸法以下とされるため、方立部が縦枠部および第二縦枠の見付け面から突出して位置することをなくせる。これにより、例えば、縦枠部や第二縦枠の見付け面にアングルや額縁などの内外装材を取り付ける場合に、方立部を避けるための切欠きや別の造作を設ける必要をなくすことができ、簡単に内外装材を取り付けることができる。
この本発明の建具に対し、特許文献１に記載の建具では、方立の開口部に一方の縦枠が差し込まれる構成であるため、方立の径寸法を一方の縦枠の見込み寸法以下とすることはできず、例えば、内外装材を取り付ける場合には方立を避けるための切欠きや別の造作を設ける必要があり、内外装材の取り付けに手間を要する。
【００１１】
本発明の建具では、前記第一保持枠体および前記第二保持枠体の一対の側面部には係合部がそれぞれ形成され、前記第一縦枠本体および前記第二縦枠本体の見込み片の両端部には、前記第一保持枠体および前記第二保持枠体のいずれの前記一対の係合部にも係合可能な係合爪がそれぞれ形成されることが好ましい。
このような構成によれば、例えば、単板ガラスや複層ガラスを保持可能な第一、第二縦枠本体のうちのいずれか一方の係合爪を、第一保持枠体および第二保持枠体のうちのいずれか一方の係合部に係合できるので、上記単板ガラス、複層ガラスなどの各種のパネルに対応して、これらを保持した第一パネル体や第二パネル体を構成できる。これにより、各種のパネルを保持する第一、第二縦枠本体のいずれであっても第一保持枠体や第二保持枠体に装着できるので、第一、第二縦枠本体を保持するための専用の保持枠体などを設計等する必要をなくして製造コストを削減できる。
【００１２】
本発明の建具では、前記第一保持枠体および前記第二保持枠体の一対の側面部は、縦片と、前記縦片に連続する斜片とをそれぞれ有して構成され、前記第一保持枠体の一対の斜片は、前記方立部の端部に連続して形成され、前記第二保持枠体の一対の斜片は、前記方立部の周面に当接可能に形成され、前記第一保持枠体および前記第二保持枠体のそれぞれの一対の斜片のうちの少なくとも一方は、前記第一パネル体に対する前記第二パネル体の連結角度が最小出隅角度または最小入隅角度となった状態で、互いに面接触可能に構成されることが好ましい。
このような構成によれば、第一保持枠体および第二保持枠体のそれぞれの一対の斜片のうちの少なくとも一方は、第一パネル体に対する第二パネル体の連結角度が最小出隅角度または最小入隅角度となった状態で、互いに面接触可能に構成されるため、最小出隅角度となった際に斜片同士が面接触する場合には、第一保持枠体および第二保持枠体間に隙間が形成されることのないシンプルな内観を構成でき、また、最小入隅角度となった際に斜片同士が面接触する場合には、第一保持枠体および第二保持枠体間に隙間が形成されることのないシンプルな外観を構成できる。
【発明の効果】
【００１４】
本発明によれば、施工を簡略化でき、内観、外観形状の設計幅を拡げることができる建具を提供できる。
【図面の簡単な説明】
【００１５】
【図１】本発明の第１実施形態に係る建具を示す外観姿図。
【図２】第１実施形態に係る建具を示す縦断面図。
【図３】第１実施形態に係る建具を示す横断面図
【図４】第１実施形態に係る建具の要部を示す斜視図。
【図５】第１実施形態に係る建具を拡大して示す横断面図。
【図６】第１実施計形態に係る建具の施工を説明するための説明図。
【図７】第１実施形態に係る建具を出隅１２０°とした状態を示す横断面図。
【図８】第１実施形態に係る建具を出隅９０°とした状態を示す横断面図。
【図９】第２実施形態に係る建具を示す横断面図。
【図１０】第３実施形態に係る建具を示す横断面図。
【図１１】第４実施形態に係る建具を示す横断面図。
【図１２】本発明の変形例に係る建具を示す横断面図。
【発明を実施するための形態】
【００１６】
［第１実施形態］
以下、本発明の第１実施形態を図面に基づいて説明する。
図１〜３において、本実施形態に係る建具である連窓１は、スーパーマーケットやホームセンター等の店舗において屋内外を仕切るショップフロントやストアフロントなどに用いられるものとして使用されるものであり、互いに隣り合って配置される第一パネル体２、第二パネル体３を備えて構成されている。
【００１７】
パネル体２，３は、枠体４と、枠体４内に設けられたパネル（第一パネル、第二パネル）である単板ガラス５とをそれぞれ備えて構成されている。
パネル体２の枠体４は、アルミ押出形材によって形成された上枠６、下枠７、左方の縦枠８、右方の第一縦枠２０を枠組みし、縦枠８、第一縦枠２０間に無目９を設けて構成されている。パネル体２では、図３に示すように、縦枠８は左側に位置し、第一縦枠２０は右側に位置している。
パネル体３の枠体４は、前述同様の上枠６、下枠７、縦枠８、無目９と、縦枠８の反対側に位置する第二縦枠４０とを備えて構成されている。パネル体３では、図３に示すように、縦枠８は右側に位置し、第二縦枠４０は左側に位置している。
パネル体２において、単板ガラス５は無目９の上下に二枚設けられている。また、パネル体３において、単板ガラス５は無目９の上下に二枚設けられている。
【００１８】
第一縦枠２０は、図４，５に示すように、縦枠部２１と、方立部３１とを有して構成されている。縦枠部２１および方立部３１は一体に連続して形成されている。
縦枠部２１は、単板ガラス５の側縁部を保持する縦枠本体１０（第一縦枠本体）と、縦枠本体１０を保持する保持枠体２１Ａ（第一保持枠体）とを備えて構成されている。
【００１９】
縦枠本体１０は、見込み片１１と、凹溝形成部１２とを有して構成されている。見込み片１１の両端部には、係合爪１１１がそれぞれ形成されている。凹溝形成部１２は、見込み片１１の中間部に形成されており、見込み片１１から縦枠部２１の見付け方向外側に延びた一対の側片１２１，１２２と、側片１２１，１２２の見付け方向外側の端部に連続している底片１２３とを有して構成されている。側片１２１，１２２および底片１２３によって凹溝（ａ）が形成されている。第一縦枠２０の見込み方向における凹溝（ｂ）の幅寸法は、単板ガラス５や複層ガラス５Ａ（図９参照）などの各パネルの見込み寸法（厚さ寸法）に対応した寸法とされている。本実施形態では、前述した凹溝（ａ）の幅寸法は、単板ガラス５の見込み寸法に対応した寸法とされている。この縦枠本体１０は、凹溝（ａ）に差し込まれた単板ガラス５の側縁部をバックアップ材１３、シール材１４を介して保持している。
【００２０】
保持枠体２１Ａは、一対の縦片２２Ａ，２２Ｂと、一対の斜片２３Ａ，２３Ｂと、連結片２４とを有して構成されている。屋外側の縦片２２Ａおよび斜片２３Ａによって屋外側の側面部２８Ａが構成されており、屋内側の縦片２２Ｂおよび斜片２３Ｂによって屋内側の側面部２８Ｂが構成されている。屋外側の縦片２２Ａは、その見付け方向外側の端部が屋外側の斜片２３Ａに連続しているとともに、その見付け方向内側の端部に係合部２２１が形成されている。屋内側の縦片２２Ｂは、その見付け方向外側の端部が屋内側の斜片２３Ｂに連続しているとともに、その見付け方向内側の端部に係合部２２１が形成されている。係合部２２１には係合爪１１１が係合する。
斜片２３Ａ，２３Ｂは、縦片２２Ａ，２２Ｂから縦枠部２１の見込み方向内側に傾斜して形成されており、斜片２３Ａ，２３Ｂの方立部３１側の側縁は互いに接近して位置している。本実施形態では、縦片２２Ａに対する斜片２３Ａの傾斜角度および縦片２２Ｂに対する斜片２３Ｂの傾斜角度は４５°である。連結片２４は、斜片２３Ａ，２３Ｂ間に連続して形成されて当該斜片２３Ａ，２３Ｂ同士を連結している。見込み方向で対向する一対の側面部２８Ａ，２８Ｂの外形は、方立部３１の後述する円弧中心３５を通って縦枠部２１の見付け方向に沿って延びる対称軸を基準に線対称な形状となっている。
この保持枠体２１Ａには、係合部２２１に係合爪１１１が係合され、連結片２４に底片１２３が皿ビス１８によってビス止めされることで、縦枠本体１０が装着されている。
【００２１】
方立部３１は、開口部３２を形成する両端部３３，３４を有して断面円弧状に形成されている。両端部３３，３４は、斜片２３Ａ，２３Ｂにそれぞれ連続している。方立部３１の円弧中心３５は、斜片２３Ａ，２３Ｂの延長線上に位置している。方立部３１の径寸法Ａ（周面３６の直径寸法）は、縦枠部２１の見込み寸法Ｂ（縦片２２Ａの外面から縦片２２Ｂの外面までの見込寸法）以下の寸法とされている。例えば、見込み寸法Ｂが７０ｍｍのとき、径寸法Ａは６０ｍｍとされてもよく、また、見込み寸法Ｂが１００ｍｍのとき、径寸法Ａは９０ｍｍとされてもよい。これらの場合、方立部３１は、縦片２２Ａ，２２Ｂの見付け面から見込み方向内側に５ｍｍずつ離れて位置する。
【００２２】
第二縦枠４０は、図４，５に示すように、単板ガラス５の側縁部を保持する縦枠本体１０（第二縦枠本体）と、縦枠本体１０を保持する保持枠体４１Ａ（第二保持枠体）とを備えて構成されている。
第二縦枠４０の縦枠本体１０は、縦枠部２１の縦枠本体１０と左右反転されて構成されているので、図に同符号を適宜付して詳細な説明を省略する。
保持枠体４１Ａは、一対の縦片４２Ａ，４２Ｂと、一対の斜片４３Ａ，４３Ｂと、連結片４４と、二つの気密材４５とを有して構成されている。屋外側の縦片４２Ａおよび斜片４３Ａによって屋外側の側面部４８Ａが構成されており、屋内側の縦片４２Ｂおよび斜片４３Ｂによって屋内側の側面部４８Ｂが構成されている。屋外側の縦片４２Ａは、その見付け方向外側の端部が屋外側の斜片４３Ａに連続しているとともに、その見付け方向内側の端部に係合部４２１が形成されている。屋内側の縦片４２Ｂは、その見付け方向外側の端部が屋内側の斜片４３Ｂに連続しているとともに、その見付け方向内側の端部に係合部４２１が形成されている。係合部４２１には係合爪１１１が係合する。
斜片４３Ａ，４３Ｂは、縦片４２Ａ，４２Ｂから第二縦枠４０の見込み方向内側に傾斜して形成されており、斜片４３Ａ，４３Ｂの方立部３１側の側縁は互いに接近して位置している。本実施形態では、縦片４２Ａに対する斜片４３Ａの傾斜角度および縦片４２Ｂに対する斜片４３Ｂの傾斜角度は４５°である。連結片４４は、斜片４３Ａ，４３Ｂ間に連続して形成されて当該斜片４３Ａ，４３Ｂ同士を連結しており、その両端部４４０が斜片４３Ａ，４３Ｂに向かって折曲されて係合部４４１が形成されている。両端部４４０が斜片４３Ａ，４３Ｂに交わる角度は９０°に設定されている。連結片４４の中間部には、方立部３１の周面３６（外周面）に当接可能な二つの突起４４２が設けられている。二つの気密材４５は、連結片４４の係合部４４１にそれぞれ係合されており、縦片４２Ａ，４２Ｂ間に位置している。見込み方向で対向する一対の側面部４８Ａ，４８Ｂの外形は、方立部３１の円弧中心３５を通って第二縦枠４０の見付け方向に沿って延びる対称軸を基準に線対称な形状となっている。
この保持枠体４１Ａには、係合部４２１に係合爪１１１が係合され、連結片４４に底片１２３が皿ビス１８によってビス止めされることで、縦枠本体１０が装着されている。
【００２３】
側面部２８Ａ，４８Ａの外形は、方立部３１の円弧中心３５を通って縦枠部２１および第二縦枠４０の見付け方向に交差する方向に延びる対称軸を基準に線対称な形状となっている。側面部２８Ｂ，４８Ｂの外形は、方立部３１の円弧中心３５を通って縦枠部２１および第二縦枠４０の見付け方向に交差する方向に延びる対称軸を基準に線対称な形状となっている。また、側面部２８Ａ，４８Ａの見付け寸法および見込み寸法は同じとされ、側面部２８Ｂ，４８Ｂの見付け寸法および見込み寸法は同じとされる。従って、縦片４２Ａ，４２Ｂの見付け面および斜片４３Ａ，４３Ｂの外面によって構成される第二縦枠４０の各露呈面４６は、縦片２２Ａ，２２Ｂの見付け面および斜片２３Ａ，２３Ｂの外面によって構成される縦枠部２１の各露呈面２６と左右反対向きの形状とされている。
また、第二縦枠４０の見込み寸法Ｃ（縦片４２Ａの外面から縦片４２Ｂの外面までの見込み寸法）は、縦枠部２１の見込み寸法Ｂと同じ寸法とされている。さらに、縦片４２Ａ，４２Ｂの各先端によって形成される開口部から連結片４４までの見付け方向における距離は、縦片２２Ａ，２２Ｂの各先端によって形成される開口部から連結片２４までの見付け方向における距離と等しい。
【００２４】
第二縦枠４０は、タッピングビス等からなる固定ビス４７によって方立部３１の円弧状の周面３６に固定されている。固定ビス４７は、第二縦枠４０の縦枠本体１０の底片１２３と連結片４４と方立部３１の周面３６の周方向における任意位置とにねじ込まれる。固定ビス４７がねじ込まれた状態では、二つの突起４４２が方立部３１の周面３６に当接する。
第二縦枠４０が方立部３１に固定された状態では、斜片４３Ａ，４３Ｂの先端および気密材４５は、方立部３１の周面３６にそれぞれ当接している。また、第二縦枠４０は、斜片４３Ａ，４３Ｂの延長線上に方立部３１の円弧中心３５が位置するように配置されている。
なお、第二縦枠４０の縦枠本体１０の凹溝には、単板ガラス５の吊り込み時における固定ビス４７の頭部との接触を防止するために軟質ブロック１５（図３参照）が設けられている。
また、屋外側の斜片４３Ａの下部が切り欠かれ、かつ樹脂製のシールブロック４９１が連結片４４に沿って設置されることによって屋外側に排水口を有した排水構造４９（図４参照）が第二縦枠４０の下部に形成されている。
【００２５】
［連窓の施工］
以下、本実施形態に係る連窓１の施工について説明する。
先ず、図６に示すように、上枠６、下枠７、無目９、縦枠８および第一縦枠２０の縦枠本体１０を枠組みし、当該縦枠本体１０に保持枠体２１Ａを装着してパネル体２の枠体４を構成する。他方、上枠６、下枠７、無目９、縦枠８および第二縦枠４０の縦枠本体１０を枠組みし、当該縦枠本体１０に保持枠体４１Ａを装着してパネル体３の枠体４を構成する。
【００２６】
次に、パネル体２の枠体４を所定位置に設置する。これにより、縦枠部２１および方立部３１の双方が同時に設置される。パネル体２の枠体４の設置後、パネル体３の枠体４を設置する。
ここで、方立部３１の周面３６に沿って第二縦枠４０を位置決めする。この第二縦枠４０の位置決めにより、例えば、図３〜５に示すように、円弧中心３５を中心とするパネル体２に対するパネル体３の連結角度を１８０°とすることで、パネル体２，３同士を平行に配置できる。図７に示すように、パネル体２に対するパネル体３の連結角度を１２０°とすることで、出隅１２０°にでき、図８に示すように、パネル体２に対するパネル体３の連結角度を９０°とすることで、最小出隅角度である出隅９０°にできる。
また、第二縦枠４０の位置決めにより、例えば、パネル体２に対するパネル体３の連結角度を２１０°とすることで、入隅１２０°にでき、パネル体２に対するパネル体３の連結角度を２７０°とすることで、最小入隅角度である入隅９０°にできる。
出隅９０°とした場合、屋内側の斜片２３Ｂ，４３Ｂ同士は互いに面接触する。また、入隅９０°とした場合、屋外側の斜片２３Ａ，４３Ａ同士は互いに面接触する。
【００２７】
第二縦枠４０を方立部３１の周面３６に沿って位置決めした後、固定ビス４７を縦枠本体１０の底片１２３、連結片４４、方立部３１にねじ込むことにより、第二縦枠４０を方立部３１に固定し、斜片４３Ａ，４３Ｂの先端および各気密材４５を方立部３１の周面３６に密に当接させる。
【００２８】
次に、軟質ブロック１５を縦枠本体１０の凹溝に適宜配置し、単板ガラス５をパネル体２，３の枠体４にそれぞれ吊り込む。そして、バックアップ材１３、シール材１４によって単板ガラス５の両側縁部を縦枠８や第一縦枠２０、または縦枠８や第二縦枠４０に装着された縦枠本体１０にそれぞれ取り付ける。
なお、例えば図５に示すように、屋内側に内装材１６を装着する場合や、屋外側に外装材１７を装着する場合、パネル体２に対するパネル体３の連結角度が９０°〜２７０°のいずれの角度であっても、縦枠部２１および第二縦枠４０の見込み寸法Ｂ，Ｃよりも小さい径寸法Ａの方立部３１に対して内装材１６や外装材１７が干渉することがない。これにより、内装材１６や外装材１７に方立部３１との干渉を回避するための切欠きや別の造作を設ける必要がない。
このようにして、パネル体２に対するパネル体３の連結角度を自在に調整した連窓１を施工する。
【００２９】
［第１実施形態の効果］
（１）パネル体２の一対の側面部２８Ａ，２８Ｂが、方立部３１の両端部３３，３４に一体に連続しているため、縦枠部２１と方立部３１とが一体に形成された一つの部材である第一縦枠２０を構成できる。これにより、第一縦枠２０と第二縦枠４０とを連結する施工を簡単に行うことができる。すなわち、先ず第一縦枠２０を設置し、次に第二縦枠４０の連結片４４を方立部３１の周面３６に固定する２工程によって第一縦枠２０と第二縦枠４０とを簡単に連結でき、施工性の向上を図れる。
また、第一縦枠２０、第二縦枠４０の互いの形状は異なるが、縦枠部２１の側面部２８Ａ，２８Ｂが方立部３１の両端部３３，３４に一体に連続するとともに、第二縦枠４０の側面部４８Ａ，４８Ｂが方立部３１の周面３６に当接するため、方立部３１の形状や寸法に制限されることなく、側面部２８Ａ，２８Ｂおよび側面部４８Ａ，４８Ｂ同士の外形の設計幅を拡げることができ、本実施形態のように、左右の側面部２８Ａ，２８Ｂおよび側面部４８Ａ，４８Ｂ同士の外形を、同形状、同寸法であって、方立部３１の円弧中心３５を通って第一縦枠２０および第二縦枠４０のそれぞれの見付け方向に交差する方向に延びる対称軸を基準に線対称な形状として、シンプルな印象の内観、外観を構成できる。
さらに、パネル体２の側面部２８Ａ，２８Ｂが、方立部３１の両端部３３，３４に一体に連続しているため、部品点数を削減できる。さらに、前述したように一体に連続して形成された縦枠部２１と方立部３１との連続部分を補強材などによって補強しなくても十分な強度を確保でき、見込み寸法を維持したまま大開口とした大型の建具を構成できる。
（２）方立部３１の径寸法Ａが縦枠部２１および第二縦枠４０の見込み寸法Ｂ，Ｃ以下とされるため、方立部３１が縦枠部２１および第二縦枠４０の見付け面から突出して位置することがない。このため、縦枠部２１や第二縦枠４０の見付け面にアングルや額縁などの内装材１６、外装材１７を取り付ける場合に、方立部３１を避けるための切欠きや別の造作を設ける必要をなくすことができ、内装材１６や外装材１７の取り付けを簡単に行うことができる。
（３）パネル体２に対するパネル体３の連結角度が出隅９０°（最小出隅角度）となった状態では、屋内側の斜片２３Ｂ，４３Ｂ同士が面接触するため、屋内側の側面部２８Ｂ，４８Ｂ間に隙間が形成されることのない、より一層シンプルな内観を構成できる。
また、パネル体２に対するパネル体３の連結角度が入隅９０°（最小入隅角度）となった状態では、屋外側の斜片２３Ａ，４３Ａ同士が面接触するため、屋外側の側面部２８Ａ，４８Ａ間に隙間が形成されることのない、より一層シンプルな外観を構成できる。
（４）第二縦枠４０に設けられた気密材４５を方立部３１の周面３６に当接することで、方立部３１および第二縦枠４０間の水密性能を向上できる。また、縦枠部２１と方立部３１とは一体に連続して形成されているため、これらの間に気密材４５などを設ける必要はなく、気密材４５の使用量を削減できる。さらに、縦枠部２１と方立部３１とが一体に形成されることで、これらが別体として形成される場合と比べて気密性能を高めることができる。
加えて、気密材４５は、側面部４８Ａ，４８Ｂ間に設けられるため、内観、外観上、気密材４５が露呈することがない。
【００３０】
[第２実施形態]
以下、本発明の第２実施形態を主に図９に基づいて説明する。
第２実施形態に係る連窓１は、単板ガラス５を保持可能な幅寸法の凹溝を有した縦枠本体１０に代えて、単板ガラス５と厚さ寸法が異なる複層ガラス５Ａを保持可能な幅寸法の凹溝（ａ）を有した縦枠本体１０Ａが保持枠体２１Ａ，４１Ａに装着されて構成されている。第２実施形態に係る連窓１は、前述した複層ガラス５Ａおよび縦枠本体１０Ａの構成を除き、第１実施形態に係る連窓１と同様に構成されているので、詳細な説明を省略する。
第２実施形態に係る連窓１によれば、第１実施形態に係る連窓１と同様の作用効果を発揮できる。
【００３１】
［第３実施形態］
以下、本発明の第３実施形態を主に図１０に基づいて説明する。
第３実施形態に係る連窓１Ａは、パネル体５１，５２，５３によって構成されている。
連窓１Ａにおいて、パネル体５１は前述したパネル体２と同様に形成され、パネル体５３は前述したパネル体３と同様に形成されている。そして、パネル体５１，５３間にはパネル体５２が配置されている。
パネル体５２は、第一縦枠２０と同様に形成された右側の第一縦枠２０Ａと、第二縦枠４０と同様に形成された第二縦枠４０Ａとを備えており、残余の構成はパネル体５１，５３と同様である。
パネル体５１の方立部３１には、パネル体５２の第二縦枠４０Ａが固定ビス４７によって固定されている。また、パネル体５２の方立部３１には、パネル体５３の第二縦枠４０が固定ビス４７によって固定されている。
この連窓１Ａでは、パネル体５１に対するパネル体５２の連結角度を自在に調整可能であるとともに、パネル体５２に対するパネル体５３の連結角度をも自在に調整可能に構成されている。
なお、パネル体５１，５２の関係では、パネル体５１が第一パネル体であり、パネル体５２が第二パネル体である。また、パネル体５２，５３の関係では、パネル体５２が第一パネル体であり、パネル体５３が第二パネル体である。
第３実施形態に係る連窓１によれば、第１実施形態に係る連窓１と同様の作用効果を発揮できる。
【００３２】
［第４実施形態］
以下、本発明の第４実施形態を主に図１１に基づいて説明する。
第４実施形態に係る連窓１Ｂは、第３実施形態に係る連窓１Ａと基本構成は同じであるが、連窓１Ａの第一縦枠２０，２０Ａ、第二縦枠４０，４０Ａに代えて、第一縦枠２０Ｂ，２０Ｃ、第二縦枠４０Ｂ，４０Ｃを備える点で相違する。
【００３３】
第一縦枠２０Ｂは、縦枠部６１と、方立部７１とを有して構成されている。縦枠部６１および方立部７１は一体に連続して形成されている。
縦枠部６１は、前述した縦枠本体１０と、縦枠本体１０を保持する保持枠体６１Ａとを備えて構成されている。
【００３４】
保持枠体６１Ａは、前述した縦片２２Ａ，２２Ｂと、縦片２２Ａに連続している見込み片６３Ａと、縦片２２Ｂに連続している斜片６３Ｂとを有して構成されている。屋外側の縦片２２Ａおよび見込み片６３Ａによって側面部６８Ａが構成されており、屋内側の縦片２２Ｂおよび斜片６３Ｂによって側面部６８Ｂが構成されている。
縦片２２Ａの見付け方向外側の端部は、見込み片６３Ａの屋外側の端部に連続しており、縦片２２Ｂの見付け方向外側の端部は、斜片６３Ｂに連続している。見込み片６３Ａには縦枠本体１０がビス止めされる固定片部６４が形成されている。斜片６３Ｂは、縦片２２Ｂから縦枠部６１の見込み方向内側に傾斜して形成されている。
【００３５】
方立部７１は、円柱状に形成されており、その周面７６には見込み片６３Ａの屋内側の端部および斜片６３Ｂの端部が一体に連続して設けられている。この方立部７１は、前述した方立部３１よりも小径であり、縦片２２Ａよりも縦片２２Ｂ側寄りの屋内側の位置に配置されている。
【００３６】
第二縦枠４０Ｂは、前述した縦枠本体１０と、縦枠本体１０を保持する保持枠体８１とを備えて構成されている。
保持枠体８１は、前述した縦片４２Ａ，４２Ｂと、縦片４２Ａに連続している見込み片８３Ａと、縦片４２Ｂに連続している斜片８３Ｂとを有して構成されている。屋外側の縦片４２Ａおよび見込み片８３Ａによって側面部８８Ａが構成されており、屋内側の縦片４２Ｂおよび斜片８３Ｂによって側面部８８Ｂが構成されている。
縦片４２Ａの見付け方向外側の端部は、見込み片８３Ａの屋外側の端部に連続しており、縦片４２Ｂの見付け方向外側の端部は、斜片８３Ｂに連続している。斜片８３Ｂは、縦片４２Ｂから第二縦枠４０Ｂの見込み方向内側に傾斜して形成されているとともに、見込み片８３Ａの屋内側の端部に連続している。
【００３７】
見込み片８３Ａは、縦枠本体１０がビス止めされる固定片部８４と、方立部７１の周面７６に沿って当接配置される円弧状部８５と、円弧状部８５に取り付けられて周面７６に当接する気密材８６とを有して構成されている。円弧状部８５には、固定ビス４７が差し込まれており、この固定ビス４７が方立部７１にねじ込まれることによって当該方立部７１に連結されている。
この第一縦枠２０Ｂ、第二縦枠４０Ｂは、方立部７１が屋内側に位置するため、出隅を形成可能な構成とされている。
【００３８】
第一縦枠２０Ｃは、図１１において第一縦枠２０Ｂを上下反転した構成（固定片部６４を除く）とされており、第二縦枠４０Ｃは、第二縦枠４０Ｂを上下反転した構成（固定片部８４を除く）とされている。従って、第一縦枠２０Ｃ、第二縦枠４０Ｃは入隅を形成可能な連結部を構成している。なお、固定片部６４，８４は縦枠本体１０のビス止め部分に対応した位置に設けられている。
この第一縦枠２０Ｃ、第二縦枠４０Ｃは、方立部７１が屋内側に位置するため、入隅を形成可能な構成とされている。
なお、見込み片６３Ａ，８３Ａには、ビス、アングルを介して化粧材１９が装着される。
第４実施形態に係る連窓１Ｂによれば、第１実施形態に係る連窓１と同様の作用効果を発揮できる。
【００３９】
［変形例］
本発明は、以上の実施形態で説明した構成のものに限定されず、本発明の目的を達成できる範囲での変形例は、本発明に含まれる。
例えば、前記第１、第２実施形態では、単板ガラス５を保持可能な縦枠本体１０、複層ガラス５Ａを保持可能な縦枠本体１０Ａを保持枠体２１Ａ，４１Ａに装着可能であるが、他の厚さ寸法を有したパネルを保持可能な縦枠本体を装着可能であってもよい。これにより、各種のパネルに対して保持枠体２１Ａ，４１Ａを共用でき、また、枠体４の見込み寸法が大きくなることがない。
【００４０】
前記第１実施形態では、方立部３１の径寸法Ａは、縦枠部２１および第二縦枠４０の見込み寸法Ｂ，Ｃよりも小さい寸法とされているが、これに限定されず、例えば、見込み寸法Ｂ，Ｃと同じ寸法とされていてもよく、また、見込み寸法Ｂ，Ｃよりも大きい寸法とされていてもよい。なお、前記第２〜第４実施形態でも前述同様に寸法が設定されてもよい。
【００４１】
前記第１実施形態では、縦枠部２１、第二縦枠４０の見込み寸法Ｂ，Ｃは互いに同じ寸法とされているが、これに限定されず、見込み寸法Ｂ，Ｃのいずれか一方が他方よりも小さい寸法とされていてもよい。この場合、方立部３１の径寸法Ａは、見込み寸法Ｂ，Ｃのいずれか一方の寸法以下とされてもよく、また、見込み寸法Ｂ，Ｃのいずれか一方の寸法よりも大きく、見込み寸法Ｂ，Ｃのいずれか他方の寸法よりも小さい寸法とされてもよく、さらに、見込み寸法の双方よりも大きい寸法とされてもよい。なお、前記第２〜第４実施形態でも前述同様に寸法が設定されてもよい。
【００４２】
前記第１実施形態では、第一縦枠２０に縦枠本体１０が取外し可能に装着されているが、これに限定されず、例えば縦枠本体１０が第一縦枠２０、第二縦枠４０と一体に形成されていてもよい。なお、前記第２〜第４実施形態でも前述同様に一体形成されてもよい。
【００４３】
前記第１、第２実施形態では、縦枠部２１および第二縦枠４０は、斜片２３Ａ，２３Ｂおよび４３Ａ，４３Ｂをそれぞれ有して構成されているが、これらの構成を省略してもよい。この場合、縦枠部２１の連結片２４は、縦片２２Ａ，２２Ｂ間に連続して形成され、方立部３１の両端部３３，３４は、連結片２４に連続して設けられる。また、第二縦枠４０の連結片４４は、縦片４２Ａ，４２Ｂ間に連続して形成される。
【００４４】
前記実施形態では、第二縦枠４０に気密材４５，８６が設けられているが、水密性能などが要求されない場合には、この気密材４５の構成を省略してもよい。
【００４５】
前記第１実施形態では、固定ビス４７によって第一縦枠２０と第二縦枠４０とが連結されているが、これに限定されず、例えば図１２に示すように、連結片４４を方立部３１に固定する固定ビス４７を用いることなく、建物の躯体に固定されたアンカー９０に対し第一縦枠２０の連結片２４の上下端にビス止めし、かつ第二縦枠４０の連結片４４の上下端にビス止めし、これにより、側面部４８Ａ，４８Ｂを方立部３１の周面３６に沿って配置してもよい。
【００４６】
前記実施形態では、連窓１，１Ａは、スーパーマーケットやホームセンター等の店舗において屋内外を仕切るショップフロントやストアフロントなどとして使用されるものとして説明したが、これに限定されない。例えば、屋内空間の間仕切りとして使用されるものとしてもよい。
【００４７】
前記実施形態では、建具として説明した連窓１、１Ａは、単板ガラス５や複層ガラス５Ａをパネルとして備えているが、例えば、金属製、樹脂製、木製などの各種のパネルを備えていてもよい。
【符号の説明】
【００４８】
１，１Ａ…連窓（建具）、２，３，５１〜５３…パネル体、４…枠体、５…単板ガラス（パネル）、５Ａ…複層ガラス（パネル）、６…上枠、７…下枠、８…縦枠、９…無目、１０，１０Ａ…保持部材、１１…見込み片、１２…凹溝形成部、１３…バックアップ材、１４…シール材、１５…軟質ブロック、１６…内装材、１７…外装材、２０，２０Ａ…第一縦枠、４０，４０Ａ…第二縦枠、２１…縦枠部、２２Ａ，２２Ｂ，４２Ａ，４２Ｂ…縦片、２３Ａ，２３Ｂ，４３Ａ，４３Ｂ…斜片、２４，４４…連結片、２６，４６…露呈面、２８Ａ，２８Ｂ，４８Ａ，４８Ｂ…側面部、３１…方立部、３２…開口部、３３，３４…端部、３５…円弧中心、３６…周面、４５…気密材、４７…固定ビス、１１１…係合爪、１２１，１２２…側片、１２３…底片、２２１，４２１，４４１…係合部、Ａ…方立部の径寸法、Ｂ…縦枠部の見込み寸法、Ｃ…縦枠の見込み寸法。
【図１】
0006418899.tif 000002
【図２】
0006418899.tif 000003
【図３】
0006418899.tif 000004
【図４】
0006418899.tif 000005
【図５】
0006418899.tif 000006
【図６】
0006418899.tif 000007
【図７】
0006418899.tif 000008
【図８】
0006418899.tif 000009
【図９】
0006418899.tif 000010
【図１０】
0006418899.tif 000011
【図１１】
0006418899.tif 000012
【図１２】
0006418899.tif 000013